(57)【特許請求の範囲】
【請求項１】
パチンコ玉が通過する通過孔を設けたスイッチ基体と、該スイッチ基体に凹凸嵌合するカバー間に前記パチンコ玉の通過により動作するアクチュエータを配設し、該アクチュエータに連動して電路の開閉を行う接触部からなるパチンコ玉検出スイッチにおいて、前記スイッチ基体内に端子と一体的に形成した接触片ａと接触片ｂを交差させて接触部を形成し、前記接触片ａにより前記カバー側に押圧されて両軸を有する前記アクチュエータが配設されるとともに前記カバーに突起を設けて前記接触片ｂを押圧し、前記接触片ａと前記接触片ｂとが同一方向に押圧した状態で前記接触片ａと前記接触片ｂ間の隙間を形成したことを特徴とするパチンコ玉検出スイッチ。
【請求項２】
前記カバーに両軸を有する前記アクチュエータが配設される一対の軸受部を形成するとともに該軸受部に係合する突起を前記スイッチ基体側に設けて前記アクチュエータの両軸を案内する案内溝を形成し、前記スイッチ基体側よりパチンコ玉が通過した場合には前記アクチュエータの両軸を中心に回転し、前記カバー側からパチンコ玉が通過した場合には前記アクチュエータの両軸が前記案内溝を移動することを特徴とした請求項１記載のパチンコ玉検出スイッチ。
【発明の詳細な説明】
【０００１】
【発明の属する技術分野】
本発明は、パチンコ玉の通過により入賞球を検出するスイッチに係り、特にチャタリングがなく、極めて接触信頼性の高いパチンコ玉検出スイッチに関する。
【０００２】
【従来の技術】
この種のスイッチとしては図９に示すように、長角形のスイッチ本体５１に固定接片と可動接片からなる接触部を構成した小形のマイクロスイッチ５３が配設されるとともにパチンコ玉５６が通過する通過孔５２を設け、この通過孔５２にはマイクロスイッチ５３の操作ボタン５４が突出されている。そして、この操作ボタン５４を押圧する略への字状で両軸を設けた操作レバー５５が配設されている。
【０００３】
このように構成されているパチンコ玉検出スイッチは、パチンコ玉が通過孔５２を通過すると操作レバー５５を押圧するとともに連動してマイクロスイッチ５３の操作ボタン５４を押圧する。これにより、接触部を構成する可動接片が固定接片と接触してパチンコ玉の通過が検出される。
【０００４】
【発明が解決しようとする課題】
しかしながら、マイクロスイッチを使用したパチンコ玉検出スイッチにあっては、パチンコ玉の通過にともなって操作レバーをパチンコ玉の通過方向へ変位するように設定されているので、マイクロスイッチのストロークの関係から薄型化が困難であるという問題があった。また、パチンコ玉の自重によりマイクロスイッチを確実に動作させなければならないため、操作力が極めて軽いマイクロスイッチを使用しなければならないが、チャタリングの発生や接点の接触信頼性を高める上での技術的な困難さがあった。更に操作レバーを配設しなければならない構成から、価格的にも高価になってしまう問題があった。
本発明は、上記問題点を除去し、部品加工を考慮するとともに構成部品を最小限度に押え、極めて組立の容易なパチンコ玉検出スイッチを提供することを目的とする。
【０００５】
【課題を解決するための手段】
本発明は、上記目的を達成するために、パチンコ玉が通過する通過孔を設けたスイッチ基体と、該スイッチ基体に凹凸嵌合するカバー間にパチンコ玉の通過により動作するアクチュエータを配設し、該アクチュエータに連動して電路の開閉を行う接触部からなるパチンコ玉検出スイッチにおいて、前記スイッチ基体内に端子と一体的に形成した接触片ａと接触片ｂを交差させて接触部を形成し、接触片ａによりカバー側に押圧されて両軸を有するアクチュエータが配設されるとともにカバーに突起を設けて接触片ｂを押圧し、接触片ａと接触片ｂとが同一方向に押圧した状態で接触片ａと前記接触片ｂ間の隙間を形成したものである。
【０００６】
さらに、前記カバーに両軸を有するアクチュエータが配設される一対の軸受部を形成するとともに該軸受部に係合する突起をスイッチ基体側に設けてアクチュエータの両軸を案内する案内溝を形成し、スイッチ基体側よりパチンコ玉が通過した場合にはアクチュエータの両軸を中心に回転するとともにカバー側からパチンコ玉が通過した場合には前記アクチュエータの両軸が案内溝を移動するように構成したものである。
【０００７】
【発明の実施の形態】
本発明によれば、パチンコ玉２３が通過するパチンコ玉通過孔３を設けたスイッチ基体２と、スイッチ基体２に凹凸嵌合するカバー１４間にパチンコ玉２３の通過により動作するアクチュエータ１９を配設し、このアクチュエータ１９に連動して電路の開閉を行う接触部からなるパチンコ玉検出スイッチであって、このスイッチ基体２内に端子と一体的に形成した接触片ａ８と接触片ｂ１１を交差させて接触部１０、１２を形成し、この接触片ａ８によりカバー１４側に押圧されて両軸を有するアクチュエータ１９が配設されるとともにカバー１４に突起１８を設けて接触片ｂ１１を押圧し、接触片ａ８と接触片ｂ１１とが同一方向に押圧した状態で接触片ａ８と接触片ｂ１１間の隙間を形成したので、構造が極めて簡単であるにもかかわらず十分な接触力と摺動接触が得られ、チャタリングがなく、極めて接触信頼性の高いパチンコ玉検出スイッチが提供出来る。
【０００８】
また、スイッチ基体２内に端子と一体的に形成した接触片ａ８と接触片ｂ１１を交差させて接触部１０、１２を形成し、この接触片ａ８によりカバー１４側に押圧されて両軸２２を有するアクチュエータ１９が配設されるとともにカバー１４に突起１８を設けて接触片ｂ１１を押圧し、接触片ａ８と接触片ｂ１１とが同一方向に押圧した状態で接触片ａ８と接触片ｂ１１間の隙間を形成したので、最も接触信頼性の高いと言われるクロスバー接触により、長寿命のパチンコ玉検出スイッチが得られる。
【０００９】
【実施例】
以下、本考案の実施例について図面を参照しながら詳細に説明する。
図１は本発明のパチンコ玉検出スイッチの正面断面図、図２はその側面断面図、図３はその分解斜視図であり、さらに図４はスイッチ基体内側から見た要部分解斜視図である。
これらの図において、１はスイッチ本体であり、略長角形のスイッチ基体２と一対の垂下片１５を設けたカバー１４を凹凸嵌合して構成される。
【００１０】
略長角形に形成されたスイッチ基体２にパチンコ玉通過孔３を設けるとともにその周囲の一部に凹所５を形成する。そして、この凹所５近傍のスイッチ基体２の平面上に後述するカバー１４に設けた軸受部１７に係合する一対の三角状の突起４が形成される。また、パチンコ玉通過孔３の反対側には複合プレスにより、接触片ａ８と端子９および接触片ｂ１１と端子１３をそれぞれ一体化してインサート成形によりスイッチ基体２に配設するとともにこの端子９、１３はスイッチ基体２の下面に形成した凹所７内に突出される。更に接触片ａ８および接触片ｂ１１は、板ばね材で形成するとともに接触部１０、１２を絞リ出して接触片ａ８と接触片ｂ１１とが略クロスバー接触をなすように配設される。
【００１１】
１４はカバーであり、略板状の長手方向の端面より凹部１６を設けた一対の垂下片１５を形成し、この凹部１６とスイッチ基体２の側面に設けた凸部６と凹凸嵌合される。
カバー１４には、スイッチ基体２に設けた三角状の突起４に対応したＶ形凹所からなる軸受部１７が形成されるとともに接触片ｂ１１を受け止める突起１８が形成され、この突起１８により接触片ａ８との間隙が精度良く保たれる。
１９はアクチュエータであり、略三角形の押圧突起２０とその下方に駆動突起２１を形成するとともに左右にはカバー１４に形成した軸受部１７に支持される軸２２が形成されている。
【００１２】
次に組立について説明すると、カバー１４の軸受部１７にアクチュエータ１９の軸２２を支持した状態でスイッチ基体２に被せて凹凸嵌合させると、アクチュエータ１９の三角状の押圧突起２０は、スイッチ基体２のパチンコ玉挿入孔３内に突出される。また、アクチュエータ１９の駆動突起２１は接触片ａ８に押圧されてカバー１４側面に押し付けられるとともに接触片ｂ１１はカバー１４の突起１８を押圧した状態で配置されることから、接触片ａ８と接触片ｂ１１は一定の隙間を保った状態で配置される。
【００１３】
図４において接触部を構成する接触片ａ８は複合プレスにより端子９と一体的に形成されている。また、接触片ｂ１１も同様の方法でそれぞれ一体的に形成され、カバー１４を凹凸嵌合することにより、接触片と端子を挟持して配設されているが、接触片の固定方法については上記の方法に限定されるものではなく、スイッチ基体２に熱加締めや接着剤等、種々の方法を用いることができる。
次に動作について説明する。
図５は本発明のパチンコ玉検出スイッチのパチンコ玉が通過する前の要部断面図、図６は本発明のパチンコ玉検出スイッチのパチンコ玉が通過した時の状態を示す要部断面図である。
【００１４】
図５において、アクチュエータ１９の駆動突起２１は接触片ａ８の弾性によりカバー１４側面に押し付けられている。このような状態からパチンコ玉挿入孔３にパチンコ玉２３が入るとアクチュエータ１９の三角状の押圧突起２０が押圧され、アクチュエータ１９の軸２２を中心として回転するので、駆動突起２１が接触片ａ８を押圧し接触片ｂ１１に接触する。この時、前述のとおり接触片ｂ１１は一定の押下荷重をカバー１４に設けた突起１８により受けとめた状態で保持されているので、接触片ａ８との接触開始時点の接触力は急激な立上がりを呈し、不安定接触領域がないため、チャタリングの発生がなく、さらにワイピング接触作用により、極めて安定した接触が得られる。
この接触により、図示しないが端子９、１３に接続されるコネクターを通してパチンコ玉２３が入賞した信号を検出する。パチンコ玉２３が通過するとアクチュエータ１９は接触片ａ８の弾性力により駆動突起２１を押圧して元の状態に復帰される。
【００１５】
このようなパチンコ玉検出スイッチは、通常、図５および図６に示すように一方向のみの状態で使用されるが、入賞の検査や出玉の調整を行う必要があり、棒の先端にパチンコ玉を固定して検査や調整を行う場合には、反対側からのパチンコ玉の挿入の際にもアクチュエータが破損しない構造のものでなければならず、その場合の動作を図７および図８に示す。
図７は本発明のパチンコ玉検出スイッチのパチンコ玉が反対側から通過する時の状態を示す要部断面図、図８は本発明のパチンコ玉検出スイッチのパチンコ玉が反対側から通過した時の状態を示す要部断面図である。
【００１６】
図８において、アクチュエータ１９の駆動突起２１は接触片ａ８の弾性によりカバー１４側面に押し付けられている。このような状態から棒の先端にパチンコ玉２３を固定したものを入れた後、パチンコ玉２３を引き出すと、アクチュエータ１９の三角状の押圧突起２０が押圧され、アクチュエータ１９の軸２２はＶ形凹所に形成された軸受部１７と三角状の突起４が係合されて形成された案内溝２４に沿ってスイッチ基体２側に移動するとともに三角状の押圧突起２０が押圧される。また、パチンコ玉２３が引き出されるとアクチュエータ１９は接触片ａ８の弾性力により復帰するとともに軸２２も元の状態に位置される。
【００１７】
尚、本発明は上記実施例に限定されるものではなく、本発明の趣旨に基づき種々の変形が可能であり、これらを本発明の範囲から排除するものではない。
【００１８】
【発明の効果】
以上、詳細に説明したように、本発明によれば、次のような効果を奏することができる。
（１）パチンコ玉が通過する通過孔を設けたスイッチ基体と、該スイッチ基体に凹凸嵌合するカバー間にパチンコ玉の通過により動作するアクチュエータを配設し、このアクチュエータに連動して電路の開閉を行う接触部からなるパチンコ玉検出スイッチにおいて、このスイッチ基体内に端子と一体的に形成した接触片ａと接触片ｂを交差させて接触部を形成し、この接触片ａによりカバー側に押圧されて両軸を有するアクチュエータが配設されるとともにカバーに突起を設けて接触片ｂを押圧し、接触片ａと接触片ｂとが同一方向に押圧した状態で接触片ａと接触片ｂ間の隙間を形成したので、構造が極めて簡単であるにもかかわらず、接触片ａと接触片ｂが接触した時に急激な接触力が得られ、さらにワイピング接触作用により、チャタリングがなく極めて接触信頼性の高いパチンコ玉検出スイッチが得られる。
（２）スイッチ基体内に端子と一体的に形成した接触片ａと接触片ｂを交差させて接触部を形成し、この接触片ａによりカバー側に押圧されて両軸を有するアクチュエータが配設されるとともにカバーに突起を設けて接触片ｂを押圧し、この接触片ａと接触片ｂとが同一方向に押圧した状態で接触片ａと接触片ｂ間の隙間を形成したので、最も接触信頼性の高いと言われるクロスバー接触構造により、長寿命のパチンコ玉検出スイッチが得られる。
（３）パチンコ玉が通過する通過孔を設けたスイッチ基体と、このスイッチ基体に凹凸嵌合するカバー間にパチンコ玉の通過により動作するアクチュエータを配設し、このアクチュエータに連動して電路の開閉を行う接触部からなるパチンコ玉検出スイッチにおいて、スイッチ基体内に端子と一体的に形成した接触片ａと接触片ｂを交差させて接触部を形成し、この接触片ａによりカバー側に押圧されて両軸を有するアクチュエータが配設されるとともにカバーに突起を設けて接触片ｂを押圧し、接触片ａと接触片ｂとが同一方向に押圧した状態で接触片ａと接触片ｂ間の隙間を形成したので、従来のようなマイクロスイッチを用いず、スイッチ基体の形状が簡素化され、上下割の一般的な金型でフープ材によるインサート成形が可能であるため、最小限の部品を組み合わせる構成により、極めて組立が容易で量産性に優れた安価なパチンコ玉検出スイッチが得られる。
（４）カバーに両軸を有するアクチュエータが配設される一対の軸受部を形成するとともにこの軸受部に係合する突起をスイッチ基体側に設けてアクチュエータの両軸を案内する案内溝を形成し、このスイッチ基体側よりパチンコ玉が通過した場合にはアクチュエータの両軸を中心に回転するとともにカバー側からパチンコ玉が通過した場合にはアクチュエータの両軸が案内溝を移動する構成としたので、入賞の検査や出玉の調整を行う必要性から棒の先端にパチンコ玉を固定し、それを出し入れして検査や調整を行う場合にもアクチュエータが破損することなく対応できるとともに極めて堅牢なパチンコ玉検出スイッチを提供できる。
【図面の簡単な説明】
【図１】本発明のパチンコ玉検出スイッチの正面断面図である。
【図２】本発明のパチンコ玉検出スイッチの側面断面図である。
【図３】本発明のパチンコ玉検出スイッチの分解斜視図である。
【図４】本発明のパチンコ玉検出スイッチのスイッチ基体内側から見た要部分解斜視図である。
【図５】本発明のパチンコ玉検出スイッチのパチンコ玉が通過する前の要部断面図である。
【図６】本発明のパチンコ玉検出スイッチのパチンコ玉が通過した時の状態を示す要部断面図である。
【図７】本発明のパチンコ玉検出スイッチのパチンコ玉が反対側から通過する時の状態を示す要部断面図である。
【図８】本発明のパチンコ玉検出スイッチのパチンコ玉が反対側から通過した時の状態を示す要部断面図である。
【図９】従来のパチンコ玉検出スイッチの要部平面図である。
【符号の説明】
１  スイッチ本体
２  スイッチ基体
３  パチンコ玉通過孔
４  突起
５  凹所
６  凸部
７  凹所
８  接触片ａ
９、１３  端子
１０、１２  接触部
１１  接触片ｂ
１４  カバー
１５  垂下片
１６  凹部
１７  軸受部
１８  突起
１９  アクチュエータ
２０  押圧突起
２１  駆動突起
２２  軸
２３  パチンコ玉
２４  案内溝
【図１】
0004379761.tif 000002
【図２】
0004379761.tif 000003
【図３】
0004379761.tif 000004
【図４】
0004379761.tif 000005
【図５】
0004379761.tif 000006
【図６】
0004379761.tif 000007
【図７】
0004379761.tif 000008
【図８】
0004379761.tif 000009
【図９】
0004379761.tif 000010